(57)【要約】  この発明は、石板彫刻画の制作方法及びその方法により制作した石板彫刻画の壁取付構造に関する。予め石板上に画くモチーフを選択し、該モチーフを最終彫刻画となる石板と同じ大きさに拡大してこの拡大モチーフを一枚のシート上に転写し、これをマトリックス状に多数に切り割し、該切り割りモチーフの切断シートを各ブロック石板１上に貼着し、選択したモチーフを基にして別途に縮尺造形した参考彫刻画を参照しながら、貼付けした切り割りモチーフに沿ってブロック石板１の表面に彫刻をし、彫刻した各ブロック石板１をそれぞれ壁体Ｗに取付手段を介して取付けて一枚の石板彫刻画Ｍに構成した。また、額縁用Ｌ字状金具１２を介して額縁１１を壁体Ｗに取付けると共に、他のＬ字状金具１３によりブロック石板１の下端縁を支持し、該Ｌ字状金具１３の先端に挿貫した棒状の縦ピン１７により、上下に隣接する各ブロック石板１，１を連結しながら壁体Ｗに取付けた。
2010041322.tif 000002
【特許請求の範囲】
【請求項１】
予め石板上に画くモチーフを選択し、該モチーフを最終彫刻画となる石板と同じ大きさに拡大してこの拡大モチーフを一枚のシート上に転写し、これをマトリックス状に多数に切り割し、該切り割りモチーフの切断シートを各ブロック石板上に貼着し、選択したモチーフを基にして別途に縮尺造形した参考彫刻画を参照しながら、貼付けした切り割りモチーフに沿ってブロック石板の表面に彫刻をし、彫刻した各ブロック石板をそれぞれ壁体に取付手段を介して取付けて一枚の石板彫刻画に構成したことを特徴とする石板彫刻画の制作方法。
【請求項２】
請求項１の石板彫刻画の制作方法により製作した石板彫刻画を構成するブロック石板を壁体に架設する構造において、額縁を額縁用Ｌ字状金具を介して壁体に取付けると共に、他のＬ字状金具によりブロック石板の下端縁を支持し、しかも、該金具の横辺部分の先端に挿貫した棒状の縦ピンをブロック石板の外周端面と額縁内周端面との間に架設固定したことを特徴とする請求項1に記載の石板彫刻画の制作方法により製作した石板彫刻画の壁取付構造。
【請求項３】
縦辺部分を介して壁体に取付けたＬ字状金具の横辺部分をブロック石板の上端面または下端面に形成した切欠部に挿入し、該金具の先端に挿貫した棒状の縦ピンにより、上下に隣接する各ブロック石板の上下端面間に架設固定して、上下に隣接する各ブロック石板を連結しながら壁体に取付けることを特徴とする請求項1に記載の石板彫刻画の制作方法により製作した石板彫刻画の壁取付構造。
【発明の詳細な説明】
【技術分野】
【０００１】
この発明は、石板彫刻画の制作方法およびその方法により製作した石板彫刻画の壁取付構造に関する。
【背景技術】
【０００２】
従来、御影石や大理石等の石板表面を凹凸に切削して絵画を画き石板を壁体に貼設した美術工芸品は古来より数多く見られるものである。【０００３】
その手法は、石板表面に絵画のモチーフを下書きし、その下書きモチーフに沿って、絵画職人がのみ等の道具を用いて丁寧に石板表面を切削して彫刻し凹凸を形成し、凹凸によって彫刻の浮立絵画を画いている。【０００４】
従って、作品の良否は、まず、下書きの絵画の優劣と、それをなぞって実際に石板上に彫刻する技術とに影響される。【０００５】
かかる石板上の絵画、彫刻の技術に関しては、石板上に剥離紙を介して合成樹脂シートを全面に取付けてその上からレーザ光線を照射して貫通孔を形成しその孔にインキを充填して所望の画像を石板上に形成する方法や、石板上にマスキングシートを貼付してサンドブラストにより彫刻を施す方法など各種の技術がある。
【特許文献１】特開２００３−２１１８９８号公報
【特許文献２】特開２００６−６２００５号公報
【発明の開示】
【発明が解決しようとする課題】
【０００６】
ところが、かかる石板彫刻の手法においては、小画面の石板上に彫刻する場合は、比較的に彫刻道具のコントロールも行いやすく、また製作者が全体を見渡すことが容易であるため原画に忠実に彫刻作業が行える。【０００７】
しかし、大画面の石板に所定のモチーフを用いて彫刻する場合は、大画面の石板の搬送の困難性もあって小画面に区画分離して、切り分けた各画面毎に区画内の所定の絵画を彫刻し、その後切り分けた各単位石板を集合して一板の大画面の石板とするしかない。【０００８】
従って、切り分けた小画面の石板に切り分けた絵画の単位が正確に彫刻されていないと集合した絵画に齟齬を生起し浮立表面に段差が出来たり、絵画の線が正確に連続しなかったりして、大画面の彫刻画の見栄えに影響を及ぼす。【０００９】
このように予め小区画で彫刻されたブロック石板を集合させて大画面の石板彫刻画を形成するためには正確なブロックごとの彫刻技術が必要になり、またこれらのブロック石板を選択するに際して絵画のモチーフに適合した厚みや石目の石板を選択しなければならない。【００１０】
また、かかる大画面の石板彫刻画を壁体に掛けるに際しては重量の関係で特殊な構造の支持技術を駆使しなければ安全にかつ美麗に掛けることができない欠点があった。【００１１】
この発明では、かかる欠点を解消して大画面の石板彫刻画を簡単な手法で美麗に形成することができる石板彫刻画の制作方法およびその取付構造を提供する。
【課題を解決するための手段】
【００１２】
この発明は、予め石板上に画くモチーフを選択し、該モチーフを最終彫刻画となる石板と同じ大きさに拡大してこの拡大モチーフを一枚のシート上に転写し、これをマトリックス状に多数に切り割し、該切り割りモチーフの切断シートを各ブロック石板上に貼着し、選択したモチーフを基にして別途に縮尺造形した参考彫刻画を参照しながら、貼付けした切り割りモチーフに沿ってブロック石板の表面に彫刻をし、彫刻した各ブロック石板をそれぞれ壁体に取付手段を介して取付けて一枚の石板彫刻画に構成したことを特徴とする石板彫刻画の制作方法を提供せんとするものである。【００１３】
また、石板彫刻画を構成するブロック石板を壁体に架設する構造において、額縁を額縁用Ｌ字状金具を介して壁体に取付けると共に、他のＬ字状金具によりブロック石板の下端縁を支持し、しかも、該金具の横辺部分の先端に挿貫した棒状の縦ピンをブロック石板の外周端面と額縁内周端面との間に架設固定した石板彫刻画の壁取付構造に関する。【００１４】
また、縦辺部分を介して壁体に取付けたＬ字状金具の横辺部分をブロック石板の上端面または下端面に形成した切欠部に挿入し、該金具の先端に挿貫した棒状の縦ピンにより、上下に隣接する各ブロック石板の上下端面間に架設固定して、上下に隣接する各ブロック石板を連結しながら壁体に取付けた石板彫刻画の壁取付構造に関する。
【発明の効果】
【００１５】
この発明によれば、予め石板上に画くモチーフを選択し、大画面の石板彫刻画を作成する前に予めミニサイズでモチーフの縮尺造形した参考彫刻画を作成しておき、他方、該モチーフを最終彫刻画の石板と同じ大きさに拡大して拡大モチーフを一枚のシート状に転写し、これをマトリックス状に多数に切り割し、該切り割りモチーフの切断シートをブロック石板上に貼着し、縮尺造形した参考彫刻画を参照しながら、貼付けした切り割りモチーフに沿ってブロック石板の表面に彫刻をし、各ブロック石板を壁体に取付けて一枚の石板彫刻画とするため、正確にモチーフに沿った彫刻に仕上げることが可能となり、しかもブロック石板毎にモチーフの切り割りに合わせて彫刻作業を行うことが可能となるため彫刻作業行い易く正確な彫刻画に仕上げることができる効果がある。【００１６】
また、石板彫刻画の制作方法により制作した石板彫刻画を、室内壁体に架設するに際し、予め額縁を額縁用Ｌ字状金具を介して壁体に取付けると共に、Ｌ字状金具により石板彫刻画の周縁を支持し、しかも該金具の横辺部分の先端を挿貫した棒状の縦ピンをブロック石板の外周端面と額縁間周端面との間に架設固定したため、額縁内周面とブロック石板の外周端面との相対する面を強固に一体連結することができ、しかも確実に重量のあるブロック石板を壁に掛けることが可能となり集合した石板彫刻画に構成することができる効果がある。【００１７】
また、各ブロック石板の上下端面間にも、Ｌ字状金具の横辺部分に挿貫した縦ピンを架設固定し、しかも、縦辺部分を介して壁体に取付けたＬ字状金具の横辺部分をブロック石板の上端面または下端面に形成した切欠部に挿入したので、外観からＬ字状金具の存在が見えず、しかも各ブロック石板の隣接する端面を密着して縦ピンで連結することができ、確実に重量のあるブロック石板を壁に掛けることが可能となり集合した石板彫刻画に構成することができる効果がある。
【図面の簡単な説明】
【００１８】
【図１】本発明の石板彫刻画の制作方法におけるモチーフの説明図
【図２】本発明の石板彫刻画の制作方法においてパソコン上で割付けを行っている状態の説明図
【図３】本発明の石板彫刻画の制作方法においてビニールシートに転写している説明図
【図４】本発明の石板彫刻画の制作方法においてビニールシートに転写した状態の説明図
【図５】本発明の石板彫刻画の制作方法においてビニールシートを切断した状態の説明図
【図６】本発明の石板彫刻画の制作方法において切断シートをブロック石板に貼着した状態の説明図
【図７】本発明の石板彫刻画の制作方法においてブロック石板の切削作業の説明図
【図８】本発明の石板彫刻画の制作方法において作成したミニチュア版の説明図
【図９】石板彫刻画の壁取付構造におけるブロック石板とＬ字状金具の分解説明図
【図１０】石板彫刻画の壁取付構造における額縁とＬ字状金具の取付け構造の説明図
【図１１】石板彫刻画の壁取付構造における断面説明図
【図１２】石板彫刻画の壁取付構造における引張り金具の使用状態の断面側面図
【図１３】図１２の要部の断面平面図
【図１４】図１２の斜視説明図
【図１５】石板彫刻画の壁取付構造において壁体にＬ字状金具を介してブロック石板を固定した状態を示す断面側面図
【図１６】図１５の断面平面図
【図１７】図１５の斜視説明図
【図１８】石片ブロックの貼着構造を示す断面説明図
【図１９】石片ブロックの状態の分解説明図
【図２０】石片ブロックの組付け完了状態の説明図
【符号の説明】
【００１９】
Ａ      モチーフ
Ｂ      参考彫刻画
Ｍ      石板彫刻画
Ｗ      壁体
ｌ      化粧板用Ｌ字状金具
ｌ´    長孔
１      ブロック石板
１ａ    石片ブロック
２      パソコン
３      割付け
４      ビニールシート
５      割付け線
６      切断シート
７      切り割りモチーフ
１０    石板取付フレーム
１１    額縁
１２    額縁用Ｌ字状金具
１３    Ｌ字状金具
１４    アンカー
１５    縦辺部分
１５´  アンカー孔
１６    横辺部分
１６´  ピン孔
１７    縦ピン
１８    挿入孔（額縁１１内周縁用）
１９    挿入孔（縦ピン１７用）
２０    切り欠き部
２２    引張り金具
２２´  折曲先端
２３    金具挿入孔
２４    凹部
２５    嵌入凹部
２６    石片用金具
２７    金具溝
２８    嵌入孔
２９    架設部
３０    脚体部
３１    接着剤
【発明を実施するための最良の形態】
【００２０】
この発明を実施するための最良の形態は、予め石板上に画くモチーフＡを選択し、該モチーフＡを最終彫刻画となる石板と同じ大きさに拡大してこの拡大モチーフを一枚のシート上に転写し、これをマトリックス状に多数に切り割し、該切り割りモチーフ７の切断シート６を各ブロック石板１上に貼着し、選択したモチーフＡを基にして別途に縮尺造形した参考彫刻画Ｂを参照しながら、貼付けした切り割りモチーフ７に沿ってブロック石板１の表面に彫刻をし、彫刻した各ブロック石板１をそれぞれ壁体Ｗに取付手段を介して取付けて一枚の石板彫刻画Ｍに構成したことを特徴とする石板彫刻画Ｍの制作方法を提供するものである。【００２１】
また、石板彫刻画Ｍを構成するブロック石板１を壁体Ｗに架設する構造において、額縁１１を額縁用Ｌ字状金具１２を介して壁体Ｗに取付けると共に、他のＬ字状金具１３によりブロック石板１の下端縁を支持し、しかも、該Ｌ字状金具１３の横辺部分１６の先端に挿貫した棒状の縦ピン１７をブロック石板１の外周端面と額縁内周端面との間に架設固定したことを特徴とする石板彫刻画Ｍの壁取付構造に関する。【００２２】
また、縦辺部分１５を介して壁体Ｗに取付けたＬ字状金具１３の横辺部分１６をブロック石板１の上端面または下端面に形成した切欠部に挿入し、該Ｌ字状金具１３の先端に挿貫した棒状の縦ピン１７により、上下に隣接する各ブロック石板１,１の上下端面間に架設固定して、上下に隣接する各ブロック石板１,１を連結しながら壁体Ｗに取付けることを特徴とする石板彫刻画Ｍの壁取付構造に関する。【００２３】
この発明の実施例を概ね作業手順に従い図面に基づき詳説する。
（１）  まず、所望の石板彫刻画ＭのモチーフＡを選択し、これを基にして粘土により縮小形態で下彫刻をして参考彫刻画Ｂを作成する（図８参照）。すなわち、所望の石板彫刻画Ｍのミニサイズを作成する。【００２４】
具体的には、所望の石板の約１０分の１の面積を有する木材素材の基板上に粘土でモチーフＡを凹凸の彫刻形態に画いて参考彫刻画Ｂを作成する。すなわち、最終作品となる石板彫刻をミニサイズで粘土により作成する。【００２５】
なお、参考彫刻画Ｂは粘土以外に粘土の参考彫刻画Ｂから型取りをした合成樹脂で作成することもできる。また、原石によりミニサイズで彫刻することにより参考彫刻画Ｂを作成することもできる。【００２６】
要は、最終製品なる石板彫刻画Ｍを構成するブロック石板１を彫刻する際に全体の彫刻画の印象と雰囲気を会得する参考となるものであればよい。【００２７】
（２）  次いで、参考彫刻画Ｂを作成すべき粘土の縮尺作品を乾燥してその表面に着色する。【００２８】
着色材料は、水彩用の絵具を用いることができるが、油絵用の絵具を用いる事もできる。【００２９】
着色することにより、ミニサイズの縮尺の彩色原画、すなわち、参考彫刻画Ｂが完成する。【００３０】
（３）  他方、所望の絵画のモチーフＡをデジタル映像でスキャニングしてパソコン２上で縦線、横線によってマトリックス状に分割して切り割り、すなわち割付け３を行う（図２参照）。そして、これを最終の石板の大きさに拡大して大版のビニールシート４に転写する（図３参照）。【００３１】
なお、パソコン２上での割付け３に際しては、人物画のあるモチーフＡの場合は、人物の顔部分や、モチーフＡの重要なポイントとなる画の部分を避けて割付け線５を付する。従って、割付け線５は均等の面積に割付けするものではなくモチーフＡの内容によって変更されるが、全体としては縦線、横線によってマトリックス状に分割される（図４参照）。【００３２】
この割付け３を行った映像を最終製品たる石板彫刻画Ｍと同じ大きさのビニールシート４に転写プリントし、割付け線５に沿って切断し、この切り割りモチーフ７の切断シート６を、予め割付け３の大きさに切り出したブロック石板１上に接着剤で貼付するものである（図５、６参照）。【００３３】
石板彫刻画Ｍと同じ大きさのビニールシート４に拡大焼付けする転写技術は、デジタルカメラで撮影した下絵原画を石板彫刻画Ｍと同じサイズに拡大し、拡大したサイズの下絵原画をビニールシート４に焼付け転写する（図３参照）。【００３４】
（４）  そして、ブロック石板１の表面に貼付した切り割りモチーフ７の切断シート６のブロック図に沿ってブロック石板１表面を切削し彫刻していく（図７参照）。【００３５】
この際に、粘土その他にて作成したミニサイズの参考彫刻画Ｂを参照しながら、同じ印象となるように立体的に彫刻していく。【００３６】
なお、ブロック石板１は立体彫刻の隆起に合致した厚みの石板を選択する。【００３７】
すなわち、参考彫刻画Ｂを見ながら、彫刻の高低差を計測して高低差が大の部分の切り割り部分に対応するブロック石板１は、厚手の原石を選択する（図７参照）。【００３８】
（５）  ブロック石板１の切削に際しては、まず、ミニサイズの参考彫刻画Ｂの粘土彫刻を参照して表面に貼付した切断シート６のブロック画に沿って荒削で形状を整えていく（図７参照）。【００３９】
更に、これを修正しながら、所望の立体彫刻に仕上げていく。【００４０】
屋内用の石板彫刻画Ｍでは、石板上に白色塗料で下塗し、その上に着色を行う。【００４１】
屋外用の石板彫刻画Ｍでは後述するように、紫外線により塗料が変色するため、所望の色彩を有する石片ブロック１ａを利用するものであり、石片ブロック１ａの表面色彩を利用して所望の色彩部分を切削し切り抜いてブロック石板１表面に形成した嵌入凹部２５に嵌着し貼り付ける。【００４２】
なお、貼り付けに際しては、まず接着剤３１で接着した後に、色彩原石を重ねるためにブロック石板１に形成した凹部の端面と貼り付ける原石の端面とを後述する金具で繋いで連結固定する（図１８〜２０参照）。【００４３】
（６）  切り割りモチーフ７の切断シート６に沿って彫刻が完了した各ブロック石板１は、所定の壁体Ｗに固定金具によって固定設置されて集合体としての石板彫刻画Ｍとなる。【００４４】
以下に、ブロック石板１を壁体Ｗに固定金具によって固定設置するための構造について詳細に説明する。【００４５】
まず、石板彫刻画Ｍの周縁部分を囲繞するための額縁１１及びブロック石板１は、予め壁体Ｗにアンカー１４にて固定した額縁用Ｌ字状金具１２及びＬ字状金具１３によりそれぞれ固定される（図１０、１１、１７参照）。【００４６】
額縁用Ｌ字状金具１２及びＬ字状金具１３は、縦辺部分１５を壁体Ｗにアンカー孔１５´を介してアンカー１４にて固定し、横辺部分１６を額縁１１の外周縁に当接し、しかも、横辺部分１６の先端部に直角方向に挿通した棒状の縦ピン１７の先端を額縁１１の内周縁に穿設した挿入孔１８に挿入して額縁１１を固定する（図１１参照）。【００４７】
なお、縦ピン１７の他方の先端は、額縁１１の周辺に張設された化粧板１１´の端面に挿入してもよい（図１１参照）。【００４８】
化粧板１１´の壁体Ｗへの取付けも、化粧板用Ｌ字状金具ｌを利用して行うものであり、化粧板用Ｌ字状金具ｌとアンカー１４との連結部分は、化粧板用Ｌ字状金具ｌに穿設した長孔ｌ´により位置調整を行う。【００４９】
また、ブロック石板１は、Ｌ字状金具１３の縦辺部分１５を壁体Ｗにアンカー１４を介して固定し、横辺部分１６をブロック石板１の外周縁、特に下端面に当接し、しかも、額縁１１の内周縁端面とブロック石板１の下端面との間には、Ｌ字状金具１３先端に上下に挿貫した棒状の縦ピン１７を架設固定している。図９中の１５´は、縦辺部分１５に形成したアンカー孔、１６´は、横辺部分１６に形成したピン孔、１９は、縦ピン１７をブロック石板１の上端面に挿入するための挿入孔を示す。【００５０】
具体的には、縦ピン１７の上下端は、ブロック石板１の外周縁と額縁１１の内周縁に穿設した挿入孔１８に挿入されて、ブロック石板１下端面と額縁１１内周端面間に架設固定される（図１１参照）。【００５１】
また、各ブロック石板１を壁体Ｗに取付け集合体としての石板彫刻画Ｍに形成するための構造について説明する。【００５２】
すなわち、ブロック石板１の上端面または下端面には、左右にＬ字状金具１３の横辺部分１６が嵌入される切り欠き部２０が形成されており、壁体Ｗにアンカー１４で固定されたＬ字状金具１３の横辺部分１６はこの切り欠き部２０に嵌入されてブロック石板１の下端面を支持する（図１５、１６参照）。【００５３】
他方、かかるブロック石板１は下方に隣接するブロック石板１とＬ字状金具１３の先端部に挿貫した縦ピン１７によって連結固定される。【００５４】
すなわち、ブロック石板１の上下端面には、切り欠き部２０に対応する位置に縦ピン１７の上下部分を挿入するためのピン挿入孔１９が穿設されており、ピン挿入孔１９に挿入され接着剤で固定された縦ピン１７を介して上下に隣接するブロック石板１,１は連結固定される。【００５５】
なお、ブロック石板１は、基本的には下端面をＬ字状金具１３の横辺部分１６で支持されながら、上下に隣接する各ブロック石板１,１は、互いに縦ピン１７を介して連結固定されていることになる。【００５６】
また、Ｌ字状金具１３以外に壁体Ｗにアンカー１４にて取り付けた引張り金具２２でブロック石板１を固定する構造も採用されている（図１２、１３、１４参照）。【００５７】
すなわち、ブロック石板１の上端面でピン挿入孔１９の横位置に金具挿入孔２３を穿設し、引張り金具２２の折曲先端２２´を挿入してブロック石板１を壁体Ｗに連結し前方への傾倒を防止している。【００５８】
なお、金具挿入孔２３の開口端面には引張り金具２２の折曲先端２２´の曲がり部が嵌入する凹部２４を形成して引張り金具２２がブロック石板１の端面から露出しないようにしている（図１４参照）。【００５９】
Ｌ字状金具１３と引張り金具２２は、２段のブロック石板１ごとに配設する構造としている。すなわち、図１１に示すように、Ｌ字状金具１３と引張り金具２２とは、壁体Ｗの壁面にブロック石板１を張設支持するに際して、上下に１段づつ交互に配設している。【００６０】
例えば、最上段のブロック石板１の上端面には、引張り金具２２の折曲先端２２´を金具挿入孔２３中に挿入することにより最上段のブロック石板１を引張り金具２２により引張り支持しており、最上段のブロック石板１と次段のブロック石板１との上下当接部分とは、Ｌ字状金具１３の縦辺部分１５を間に介在して最上段のブロック石板１を下端面より支持しながら上下のブロック石板１,１の間に縦ピン１７を架設して連結するようにしており、更に３段目のブロック石板１は、最上段のブロック石板１と同様に上端面の金具挿入孔２３に引張り金具２２の折曲先端２２´を嵌入して引張り支持するものである。【００６１】
また、石板彫刻画Ｍを構成するに際しては、上記のようにブロック石板１を縦横組み合せて広面積の石板彫刻画Ｍとするものであるが、ブロック石板１にあらわす凹凸のモチーフ部分において、特に色彩を異にしたモチーフ部分を現出する必要が生じる。【００６２】
この場合、異なるモチーフ部分の色彩を予め色彩を有した大理石の石片ブロック１ａを用いることにより現出することができる。【００６３】
そこで、ブロック石板１上のモチーフ部分に色彩の異なる石片ブロック１ａを張設するための技術が駆使される。【００６４】
すなわち、図１８〜２０に示すようにブロック石板１の所要箇所に嵌入凹部２５を形成し、嵌入凹部２５に色彩の異なる石片ブロック１ａを嵌入して、石片用金具２６を用いて一体に張設固定する。【００６５】
石片ブロック１ａの上端面とブロック石板１の上端面とには、互いに相対する位置にそれぞれ金具溝２７を形成し、しかも、各金具溝２７の最外端には、それぞれ嵌入孔２８を形成している。【００６６】
石片用金具２６は、略コ字状に形成し、略コ字状の本体直線部分を架設部２９とし、その両端の折曲部分を脚体部３０とする。【００６７】
従って、石片用金具２６によりブロック石板１と石片ブロック１ａとを一体に張設固定するためには、図１９に示すようにブロック石板１の嵌入凹部２５に石片ブロック１ａを嵌入し、石片用金具２６の架設部２９を金具溝２７中に嵌入すると共に両端の脚体部３０を嵌入孔２８に嵌入する。【００６８】
この状態を現出する前に図２０、図２１に示すように金具溝２７を含めてブロック石板１の嵌入凹部２５と石片ブロック１ａとの当接する部分に接着剤３１を介在させてブロック石板１と石片ブロック１ａとを一体に固定する。【００６９】
以上、本発明の好ましい実施の形態について説明したが、本発明はかかる特定の実施形態に限定されるものではなく、特許請求の範囲に記載された本発明の要旨の範囲内において、種々の変形・変更が可能である。
【図１】
2010041322.tif 000003
【図２】
2010041322.tif 000004
【図３】
2010041322.tif 000005
【図４】
2010041322.tif 000006
【図５】
2010041322.tif 000007
【図６】
2010041322.tif 000008
【図７】
2010041322.tif 000009
【図８】
2010041322.tif 000010
【図９】
2010041322.tif 000011
【図１０】
2010041322.tif 000012
【図１１】
2010041322.tif 000013
【図１２】
2010041322.tif 000014
【図１３】
2010041322.tif 000015
【図１４】
2010041322.tif 000016
【図１５】
2010041322.tif 000017
【図１６】
2010041322.tif 000018
【図１７】
2010041322.tif 000019
【図１８】
2010041322.tif 000020
【図１９】
2010041322.tif 000021
【図２０】
2010041322.tif 000022
【国際調査報告】
2010041322.tif 000023
2010041322.tif 000024
2010041322.tif 000025
2010041322.tif 000026